(57)【特許請求の範囲】
【請求項１】
インターネットを介したユーザのアクセスに対して、前記ユーザの特性を示すユーザ情報を取得する取得手段と、
前記アクセスに対して、データベースに登録された複数の画像の検索画面を供給する供給手段と、
前記ユーザが前記検索画面を利用して、画像の分野を選択することで検索された画像から、さらに選択した画像に対して、前記ユーザの選択によって得られる前記画像の分野を示す情報と、前記取得したユーザ情報に応じたカラープロファイルに基づく補正を施す補正手段と、
前記補正を施した画像を前記ユーザに供給する送信手段とを有することを特徴とするサーバ装置。
【請求項２】
前記ユーザ情報は、前記ユーザの端末装置にセッション管理情報の一部として保存されていることを特徴とする請求項1に記載されたサーバ装置。
【請求項３】
前記ユーザ情報には、ユーザの居住地域およびユーザ年齢を示す情報が含まれることを特徴とする請求項1または請求項2に記載されたサーバ装置。
【請求項４】
サーバ装置の制御方法であって、
インターネットを介したユーザのアクセスに対して、前記ユーザの特性を示すユーザ情報を取得し、
前記アクセスに対して、データベースに登録された複数の画像の検索画面を供給し、
前記ユーザが前記検索画面を利用して、画像の分野を選択することで検索された画像から、さらに選択した画像に対して、前記ユーザの選択によって得られる前記画像の分野を示す情報と、前記取得したユーザ情報に応じたカラープロファイルに基づく補正を施し、
前記補正を施した画像を前記ユーザに供給することを特徴とする制御方法。
【請求項５】
情報処理装置を制御して、請求項4に記載された制御を実行することを特徴とするコンピュータプログラム。
【発明の詳細な説明】
【０００１】
【発明の属する技術分野】
本発明は、インターネットを介した画像の検索を提供するサーバ装置およびその制御方法に関する。
【０００２】
【従来の技術】
インターネットを介して、各種画像データを全世界の利用者に提供するサービスがある。提供される画像データの色味や明るさなどはとくに調整されていない場合がほとんどである。また、調整されている場合は、提供者が想定する画像の観察環境で最も好ましい色味や明るさになるような、画像補正が行われている。
【０００３】
【発明が解決しようとする課題】
しかし、利用者にかかわらず同じ度合いで画像補正を行えば、すべての利用者に対して、必ずしも好ましい画像を提供することはできない。とくに、記憶色と呼ばれる肌色、青空の色、草木の緑などは、利用者の地域性により、好ましいと感じる色が異なることが知られている。
【０００４】
本発明は、ユーザが選択した画像の分野に適し、かつ、ユーザ情報を考慮したプロファイルに基づく補正を、当該ユーザが選択した画像に施すことを目的とする。
【０００５】
【課題を解決するための手段】
本発明は、前記の目的を達成する一手段として、以下の構成を備える。
【０００７】
本発明にかかるサーバ装置は、インターネットを介したユーザのアクセスに対して、前記ユーザの特性を示すユーザ情報を取得する取得手段と、前記アクセスに対して、データベースに登録された複数の画像の検索画面を供給する供給手段と、前記ユーザが前記検索画面を利用して、画像の分野を選択することで検索された画像から、さらに選択した画像に対して、前記ユーザの選択によって得られる前記画像の分野を示す情報と、前記取得したユーザ情報に応じたカラープロファイルに基づく補正を施す補正手段と、前記補正を施した画像を前記ユーザに供給する送信手段とを有することを特徴とする。
【０００９】
本発明にかかる制御方法は、サーバ装置の制御方法であって、インターネットを介したユーザのアクセスに対して、前記ユーザの特性を示すユーザ情報を取得し、前記アクセスに対して、データベースに登録された複数の画像の検索画面を供給し、前記ユーザが前記検索画面を利用して、画像の分野を選択することで検索された画像から、さらに選択した画像に対して、前記ユーザの選択によって得られる前記画像の分野を示す情報と、前記取得したユーザ情報に応じたカラープロファイルに基づく補正を施し、前記補正を施した画像を前記ユーザに供給することを特徴とする。
【００１０】
【発明の実施の形態】
以下、本発明にかかる一実施形態の画像処理装置を図面を参照して詳細に説明する。
【００１１】
［構成］
図1は実施形態の画像処理システムの構成例を示すブロック図である。
【００１２】
図1において、Webサーバ1は、インターネットのような広域ネットワーク(WAN)を介して、画像データベース(DB)3に蓄積されている画像データを利用者に提供する。
【００１３】
画像データが提供される際、端末7およびインターネット6を介してWebサーバ1にアクセスする端末7のユーザ情報メモリ8に格納されたユーザ情報に応じたカラープロファイルが、プロファイル選択部5によってカラープロファイルデータベース(DB)4から読み出され、画像補正部2に供給されて、ユーザ特性に応じた画像補正（色補正や階調補正）が、提供される画像データに施される。
【００１４】
なお、端末7は、一般にWebブラウザが搭載されたパーソナルコンピュータで、Webブラウザを利用してWebサーバ1および画像DB 3にアクセスする。
【００１５】
［処理］
図2はWebサーバ1の処理を説明するフローチャートである。
【００１６】
Webサーバ1は、端末7から接続されると(S20)、図3に示すようなログイン画面を端末7に供給し、端末7のモニタに表示させる(S21)。もし、ユーザが画像DB 3を初めて利用する場合、ユーザはユーザ登録ボタン31を選択する(S22)。ユーザ登録が選択されると、Webサーバ1は、図4に示すようなユーザ登録画面を端末7に供給し、端末7のモニタに表示させる(S23)。
【００１７】
ユーザが、ユーザ登録画面に従い氏名欄41、住所欄42および年齢欄43に記入して、登録ボタン44を押すと、各欄に記入されたユーザ情報は、例えばcookieのようなセッション管理情報の一部として端末7のハードディスクなどの記憶媒体に割り当てられたユーザ情報メモリ8に記録される(S24)。
【００１８】
ユーザ登録が完了するか、ステップS22でログインボタン32が選択された場合、Webサーバ1は、端末7に対してユーザ情報メモリ8に保存された、Webサーバ1に関連付けられたセッション管理情報を要求し、セッション管理情報を端末7から得ると(S25)、図5に示すようなデータベース検索画面を端末7に供給し、端末7のモニタに表示させる(S26)。
【００１９】
ユーザが、データベース検索画面の分野欄51から所望する画像の分野に対応するラジオボタンを選択し、かつ、キーワード欄52にキーワードを入力すると(S27)、Webサーバ1は指定分野およびキーワードに該当する画像を画像DB 3から読み出し、端末7に画像データを供給し、端末7のモニタに縮小画像53を表示させる(S28)。
【００２０】
ユーザが、表示された縮小画像53をクリックするなどにより、提供を希望する画像を選択すると(S29)、Webサーバ1は、指定分野を示す情報、および、セッション管理情報に含まれるユーザ情報をカラープロファイル選択部5に送り、カラープロファイル選択部5に指定分野を示す情報およびユーザ情報の組み合わせに該当するカラープロファイルを選択させる(S30)。
【００２１】
図6はカラープロファイルDB 4に格納されたカラープロファイルを説明する図である。
【００２２】
カラープロファイルは、画像の分野、ユーザの居住地域およびユーザの年齢の組み合わせに対して、予め用意され、カラープロファイルDB 4に格納されている。カラープロファイルには、原画像データの所定色空間における特性と、補正後の画像データの所定色空間における特性との対応関係が記録された、例えばICC (International Color Consortium)が提唱するICCプロファイルなどが使用可能である。原画像データの色空間としてはXYZ表色系など、画像入出力装置の色再現範囲や色再現特性に依存しない標準的な色空間が適する。一方、補正後の画像データの色空間は、例えばインターネットで標準的に使用されるsRGB色空間などが適する。
【００２３】
次に、選択された縮小画像53に対応する原画像データ、および、選択されたカラープロファイルが画像補正部2に送られ、カラープロファイルに従い原画像データが補正される(S31)。補正方法としては、一般的なカラーマネージメントで使用される、ルックアップテーブル参照方式を用いることができる。
【００２４】
次に、Webサーバ1は、補正された画像データを端末7に転送（供給）する(S32)。画像データの転送後も端末7のモニタにはデータベース検索画面が表示され、ユーザは、さらに所望する画像の検索およびダウンロードが可能であるが、ログアウトボタン54が選択された場合、Webサーバ1は処理をステップS20へ戻す(S33)。勿論、ログイン画面のログアウトボタン33が選択された場合も、Webサーバ1は処理をステップS20へ戻す。
【００２５】
このように、画像の分野、ユーザの居住地域およびユーザ年齢に応じた画像補正を、供給する画像データに施すことができる。
【００２６】
【発明の効果】
以上説明したように、本発明によれば、ユーザが選択した画像の分野に適し、かつ、ユーザ情報を考慮したカラープロファイルに基づく補正を、当該ユーザが選択した画像に施すことができる。
【図面の簡単な説明】
【図１】実施形態の画像処理システムの構成例を示すブロック図、
【図２】  Webサーバの処理を説明するフローチャート、
【図３】ログイン画面の一例を示す図、
【図４】ユーザ登録画面の一例を示す図、
【図５】データベース検索画面の一例を示す図、
【図６】カラープロファイルDBに格納されたカラープロファイルを説明する図である。
【図１】
0003833134.tif 000002
【図２】
0003833134.tif 000003
【図３】
0003833134.tif 000004
【図４】
0003833134.tif 000005
【図５】
0003833134.tif 000006
【図６】
0003833134.tif 000007